(57)【特許請求の範囲】
【請求項１】
光ディスクに記録されているデータを再生する光ディスク装置において、
上記光ディスクからの再生信号を出力する光学ヘッドと、
前記再生信号を第１のスライスレベルと比較して第１の矩形波信号に変換して出力し、非リセット時は前記第１のスライスレベルは前記第１の矩形波信号を用いて生成している第１の２値化回路と、
前記再生信号を第２のスライスレベルと比較して第２の矩形波信号に変換して出力し、非リセット時は前記第２のスライスレベルは前記第２の矩形波信号を用いて生成している第２の２値化回路と、
前記第１の２値化回路から出力される矩形波信号または前記第２の２値化回路から出力される矩形波信号のいずれか一方が、選択的に入力され、前記矩形波信号のエッジ検知信号を得るエッジ検知手段と、
このエッジ検知手段からのエッジ検知信号と再生用のクロックとの位相差に応じてパルスの幅が変わる位相差検知信号を得るとともに、前記再生用のクロックを生成する生成手段と、
前記生成手段により生成される前記再生用のクロックに基づいて、上記エッジ検知手段からのエッジ検知信号を再生データに復調する復調手段と、
前記生成手段からの前記位相差検知信号のパルス幅が所定値以上となった際に、位相差異常検知信号を得る位相差変動量検知回路と、
前記位相差変動量検知回路から前記位相差異常検知信号が得られているときに、前記第２の２値化回路の第２のスライスレベルに対して、前記位相差検知信号を加えるリセット手段と、
前記位相差変動量検知回路から前記位相差異常検知信号が得られたときに、前記第１の２値化回路の第１のスライスレベルを所定の同期信号タイミングで固定時間リセットするリセット手段と、
リトライ時に、前記エッジ検出手段に対して、前記第２の２値化回路からの第２の矩形波信号を選択して供給する手段と、
を具備したことを特徴とする光ディスク装置。
【発明の詳細な説明】
【０００１】
【発明の属する技術分野】
この発明は、光ディスクに対してデータを記録したり、上記光ディスクに記録されているデータを再生する光ディスク装置に関する。
【０００２】
【従来の技術】
最近、大容量記録媒体の光ディスクとして、ディジタル・ビデオ・ディスク（ＤＶＤ）が開発され、この光ディスクにデータを記録したり、この光ディスクに記録されているデータを再生する記録再生を行う光ディスク装置が開発されている。
【０００３】
このような光ディスク装置では、マーク長記録（マークエッジ記録）方式によるピットが形成されて、チャネルデータの記録が行われるようになっている。
【０００４】
上記した光ディスク装置内の再生回路においては、光学ヘッドの検出器からの再生信号（増幅後）をコンパレータで２値化し、この２値化信号を積分した信号をコンパレータの基準値としてフィードバックすることにより、常に２値化信号のハイレべルの時間とローレベルの時間が常に一定となるように、スライスレべル制御を行っている。
【０００５】
この再生回路では、ＤＳＶ（Ｄｉｇｉｔａｌ  Ｓｕｍ  Ｖａｌｕｅ：ｓｕｍｍｅｄ  ｂｙ  ｌｅｔｔｉｎｇ  ｂｉｔ  １  ｂｅ  ＋１  ａｎｄ  ｂｉｔ  ０  ｂｅ  −１）が０であることを前提として行い、ＤＳＶ０となるデータパターンが連続する場合は精度よく再生が行える。
【０００６】
ところが、ＤＶＤフォーマットでは、ある特殊なデータパターンの場合に、
ＤＳＶが「０」とならず、ＤＳＶがデータ時間とともに単調増加、もしくは単調減少となることがあり、データが正しく再生できないことがある。
【０００７】
【発明が解決しようとする課題】
この発明は、特殊なデータパターンの再生時に、データが正しく再生できないことがあるという欠点を除去するもので、特殊なデータパターンの再生時に、データが正しく再生できる光ディスク装置を提供することを目的としている。
【０００８】
【課題を解決するための手段】
この発明の光ディスク装置は、光ディスクに記録されているデータを再生する光ディスク装置において、上記光ディスクからの再生信号を出力する光学ヘッドと、前記再生信号を第１のスライスレベルと比較して第１の矩形波信号に変換して出力し、非リセット時は前記第１のスライスレベルは前記第１の矩形波信号を用いて生成している第１の２値化回路と、前記再生信号を第２のスライスレベルと比較して第２の矩形波信号に変換して出力し、非リセット時は前記第２のスライスレベルは前記第２の矩形波信号を用いて生成している第２の２値化回路と、前記第１の２値化回路から出力される矩形波信号または前記第２の２値化回路から出力される矩形波信号のいずれか一方が、選択的に入力され、前記矩形波信号のエッジ検知信号を得るエッジ検知手段と、このエッジ検知手段からのエッジ検知信号と再生用のクロックとの位相差に応じてパルスの幅が変わる位相差検知信号を得るとともに、前記再生用のクロックを生成する生成手段と、前記生成手段により生成される前記再生用のクロックに基づいて、上記エッジ検知手段からのエッジ検知信号を再生データに復調する復調手段と、前記生成手段からの前記位相差検知信号のパルス幅が所定値以上となった際に、位相差異常検知信号を得る位相差変動量検知回路と、前記位相差変動量検知回路から前記位相差異常検知信号が得られているときに、前記第２の２値化回路の第２のスライスレベルに対して、前記位相差検知信号を加えるリセット手段と、前記位相差変動量検知回路から前記位相差異常検知信号が得られたときに、前記第１の２値化回路の第１のスライスレベルを所定の同期信号タイミングで固定時間リセットするリセット手段と、リトライ時に、前記エッジ検出手段に対して、前記第２の２値化回路からの第２の矩形波信号を選択して供給する手段とを有する。
【００１０】
【発明の実施の形態】
以下、図面を参照してこの発明の実施形態の光ディスク装置を説明する。
【００１１】
図１は、光ディスク装置を示すものである。この光ディスク装置は、光ディスク（ＤＶＤ−ＲＡＭ）１へのデータの記録及びこの光ディスク１からデータを再生するものである。
【００１２】
この光ディスク装置は、ＤＶＤ−ＲＡＭのみならず他のＤＶＤディスクやＣＤディスクからもデータの読み出しが可能で、書換可能なＤＶＤディスクに対してデータの書き込みが可能な装置として構成されている。
【００１３】
したがって、光ピックアップ２は、ＤＶＤ用の対物レンズ３及びＣＤ用の対物レンズ４を有している。光ピックアップ２内には、ＤＶＤ用の対物レンズ３及びＣＤ用の対物レンズ４に対応してＤＶＤ用及びＣＤ用の半導体レーザユニット（図示せず）が設けられ、装填された光ディスク１がＤＶＤディスク或いはＣＤディスクかに応じてこの半導体レーザユニットの一方が選択され、レーザ制御ユニット５によって付勢され、それぞれ対応する波長のレーザビームを発生する。ＤＶＤ用及びＣＤ用の半導体レーザユニットのいずれかが選択されて付勢されると、光ディスク１に対応するレーザビームが対応する対物レンズ３、４に向けられ、この対物レンズ３、４によって光ディスク１に収束される。この収束されたレーザビームで光ディスク１にデータが書き込まれ、或いは、再生される。
【００１４】
レーザ制御ユニット５は、ＤＶＤデータ処理ユニット６によってその設定がセットされるが、その設定は、再生信号を得る再生モード、データを記録する記録モード及びデータを消去する消去モード並びにＤＶＤディスクに対するデータ処理を実行するＤＶＤモード及びＣＤディスクに対するデータ処理を実行するＣＤモードで異なっている。即ち、ＤＶＤモードでは、ＤＶＤ用の半導体レーザユニットが選択されて付勢され、また、ＣＤモードでは、ＣＤ用の半導体レーザユニットが選択されて付勢される。ＤＶＤ用或いはＣＤ用のレーザビームは、再生モード、記録モード及び消去モードの３つのモードでそれぞれ異なるレベルのパワーを有し、そのモードに対応したパワーのレーザビームが発生されるように半導体レーザユニットがレーザ制御ユニット５によって付勢される。
【００１５】
ＤＶＤ用の対物レンズ３及びＣＤ用の対物レンズ４に対向してＤＶＤディスク１或いはＣＤディスクが配置されるように、このＤＶＤディスク或いはＣＤディスクは、直接或いはディスクカートリッジ１ａに収納されてトレー７によって装置内に搬送される。このトレー７を駆動する為のトレーモータ８が装置内に設けられている。また、装填されたＤＶＤディスク１或いはＣＤディスクは、スタンパ９によって回転可能にスピンドルモータ１０上に保持され、このスピンドルモータ１０によって回転される。
【００１６】
光ピックアップ２は、送りモータ１１によって駆動される送り機構（図示せず）上に載置され、この送り機構によって光ディスク１の半径方向に移動される。
【００１７】
光ピックアップ２は、その内にレーザビームを検出する光検出器（図示せず）を有している。この光検出器は、光ディスク１で反射されて対物レンズ３、４を介して戻されたレーザビームを検出している。光検出器からの検出信号（電流信号）は、電流／電圧変換器（Ｉ／Ｖ）１２で電圧信号に変換され、この信号は、リファレンスアンプ（ＲＦアンプ）１３及びサーボアンプ１４に供給される。リファレンスアンプ１３からは、後述するヘッダ部５１のデータの再生用としてのトラッキングエラー信号と記録領域５８のデータの再生用としての加算信号がＤＶＤデータ処理ユニット６に出力される。サーボアンプ１４からのサーボ信号（トラックエラー信号、フォーカス信号）は、ＤＶＤモードでは、ＤＶＤサーボシーク制御ユニット１５に出力され、ＣＤモードでは、ＣＤサーボシーク制御並びにＣＤデータ処理ユニット１６に出力される。
【００１８】
フォーカスずれ量を光学的に検出する方法としては、たとえば次のようなものがある。
【００１９】
［非点収差法］  光ディスク１の光反射膜または光反射性記録膜で反射されたレーザ光の検出光路に非点収差を発生させる光学素子（図示せず）を配置し、光検出器上に照射されるレーザ光の形状変化を検出する方法である。光検出領域は対角線状に４分割されている。各検出領域から得られる検出信号に対し、ＤＶＤサーボシーク制御ユニット１５内で対角和間の差を取ってフォーカスエラー検出信号（フォーカス信号）を得る。
【００２０】
［ナイフエッジ法］  光ディスク１で反射されたレーザ光に対して非対称に一部を遮光するナイフエッジを配置する方法である。光検出領域は２分割され、各検出領域から得られる検出信号間の差を取ってフォーカスエラー検出信号を得る。
【００２１】
通常、上記非点収差法あるいはナイフエッジ法のいずれかが採用される。
【００２２】
光ディスク１はスパイラル状または同心円状のトラックを有し、トラック上に情報が記録される。このトラックに沿って集光スポットをトレースさせて情報の再生または記録／消去を行う。安定して集光スポットをトラックに沿ってトレースさせるため、トラックと集光スポットの相対的位置ずれを光学的に検出する必要がある。
【００２３】
トラックずれ検出方法としては一般に、次の方法が用いられている。
【００２４】
［位相差検出（Differential Phase Detection）法］  光ディスク１の光反射膜または光反射性記録膜で反射されたレーザ光の光検出器上での強度分布変化を検出する。光検出領域は対角線上に４分割されている。各検出領域から得られる検出信号に対し、ＤＶＤサーボシーク制御ユニット１５内で対角和間の差を取ってトラックエラー検出信号（トラッキング信号）を得る。
【００２５】
［プッシュプル（Push-Pull）法］  光ディスク１で反射されたレーザ光の光 検出器上での強度分布変化を検出する。光検出領域は２分割され、各検出領域から得られる検出信号間の差を取ってトラックエラー検出信号を得る。
【００２６】
［ツインスポット（Twin-Spot）法］  半導体レーザ素子と光ディスク１間の 送光系に回折素子などを配置して光を複数に波面分割し、光ディスク１上に照射する±１次回折光の反射光量変化を検出する。再生信号検出用の光検出領域とは別に＋１次回折光の反射光量と−１次回折光の反射光量を個々に検出する光検出領域を配置し、それぞれの検出信号の差を取ってトラックエラー検出信号を得る。
【００２７】
ＤＶＤモードでは、ＤＶＤサーボシーク制御ユニット１５からフォーカス信号、トラッキング信号及び送り信号がフォーカス及びトラッキングアクチュエータドライバ並びに送りモータドライバ１７に送られ、このドライバ１７によって対物レンズ３、４がフォーカスサーボ制御され、また、トラッキングサーボ制御される。
【００２８】
更に、アクセス信号に応じてドライバ１７から付勢信号が送りモータ１１に供給され光ピックアップ２が搬送制御される。
【００２９】
このＤＶＤサーボシーク制御ユニット１５は、ＤＶＤデータ処理ユニット６によって制御される。例えば、ＤＶＤデータ処理ユニット６からアクセス信号がＤＶＤサーボシーク制御ユニット１５に供給されて送り信号が生成される。
【００３０】
また、ＤＶＤデータ処理ユニット６からの制御信号でスピンドルモータドライバ１８及びトレーモータドライバ１９が制御され、スピンドルモータ１０及びトレーモータ８が付勢され、スピンドルモータ１０が所定回転数で回転され、トレーモータ８がトレーを適切に制御することとなる。
【００３１】
ＤＶＤデータ処理ユニット６に供給されたヘッダ部（後述する）のデータに対応する再生信号は、後述するＣＰＵ２５に供給される。これにより、上記ＣＰＵ２５は、その再生信号によりヘッダ部のアドレスとしてのセクタ番号を判断し、アクセスする（データを記録するあるいは記録されているデータを再生する）アドレスとしてのセクタ番号との比較を行うようになっている。
【００３２】
ＤＶＤデータ処理ユニット６に供給された記録領域（後述する）のデータに対応する再生信号は、ＲＡＭ２０に必要なデータが格納され、再生信号がこのＤＶＤデータ処理ユニット６で処理されてバッファとしてのＲＡＭ２１を有するＳＣＳＩインタフェース制御部並びにＣＤ−ＲＯＭデコーダ２２に供給され、ＳＣＳＩを介して他の装置、例えば、パーソナルコンピュータに再生処理信号が供給される。
【００３３】
ＣＤモードでは、ＣＤサーボシーク制御並びにＣＤデータ処理ユニット１６からフォーカス信号、トラッキング信号及び送り信号がフォーカス及びトラッキングアクチュエータドライバ並びに送りモータドライバ１７に送られ、このドライバ１７によって対物レンズ３、４がフォーカスサーボ制御され、また、
トラッキングサーボ制御される。
【００３４】
更に、アクセス信号に応じてドライバ１７から付勢信号が送りモータ１１に供給され光ピックアップ２が搬送制御される。このＣＤサーボシーク制御並びにＣＤデータ処理ユニット１６からの制御信号でスピンドルモータドライバ１８及びトレーモータドライバ１９が制御され、スピンドルモータ１０が付勢され、スピンドルモータ１０が所定回転数で回転されることとなる。ＣＤデータ処理ユニット１６に供給された再生信号は、この処理ユニット１６で処理されてＣＤデータ出力アンプ２３を介して出力される。
【００３５】
図１に示す各部は、ＲＯＭ２４に格納された手順に従って、ＣＰＵ２５によって制御される。ＲＡＭ２６はＣＰＵ２５のメモリとして用いられる。
【００３６】
次に、上記作成されたＤＶＤ−ＲＡＭの光ディスク１の構造について説明する。
【００３７】
上記光ディスク１は、例えば厚さ０．６ｍｍのポリカーボネイトあるいはアクリル等の透明樹脂からなる円盤状基板、相変化形の記録膜、反射膜、保護膜および張り合わせのためのシートや接着剤から構成される。透明基板に凹凸形状で溝やヘッダ情報を記録し、凹凸面に記録膜などを成膜したのち凹凸面どうしを張り合わせ、両面において記録再生が可能な構成とする。
【００３８】
上記光ディスク１は、図２に示すように、あらかじめトラッキング用のウォブルされているグルーブとトラックアドレス等を示すプリピット（エンボスピット）列からなるヘッダ部から構成されている。
【００３９】
すなわち、データ記録時の基準となる信号を得るため、トラッキング用のグルーブを一定周期でウォブルさせている。この時、ヘッダ部とトラッキング用のグルーブを一定周期でウォブルさせる信号の位相は概略合うようにする。
【００４０】
上記光ディスク１では、セクタ単位にデータの記録、再生が行われるようになっている。
【００４１】
上記１セクタごとのフォーマットが、図３に示されている。
【００４２】
図３において、１セクタは、ヘッダ領域（ヘッダ部に対応）２７、ミラー領域２８、記録領域２９から構成されている。
【００４３】
上記セクタに記録されるチャネルビットは、８ビットのデータを１６ビットのチャネルビットに８−１６コード変調された形式になっている。
【００４４】
ヘッダ領域２７は、光ディスク１を製造する際に所定のデータが記録されているエリアである。このヘッダ領域２７は、４つのヘッダ１領域、ヘッダ２領域、ヘッダ３領域、ヘッダ４領域により構成されている。
【００４５】
ヘッダ１領域〜ヘッダ４領域は、同期コード部ＶＦＯ（Variable Frequency Oscillator ）、アドレスマークＡＭ（Address Mark）、アドレス部ＰＩＤ（Position Identifier ）、誤り検知コードＩＥＤ（ID Error Detection Code)、ポストアンブルＰＡ（Postambles）により構成されている。
【００４６】
ミラー領域２８は、トラッキングエラー信号のオフセット補正、ランド／グルーブ切り替え信号のタイミング発生等に利用される。
【００４７】
記録領域２９は、ギャップ領域、ガード１領域、ＶＦＯ３領域、プレ−シンクロナスコード（ＰＳ）領域、データ領域、ポストアンブル３（ＰＡ３）領域、ガード２領域、およびバッファ領域により構成されている。
【００４８】
データ領域は、データＩＤ、データＩＤエラー訂正コードＩＥＤ（Data ID Error Detection Code）、同期コード、ＥＣＣ（Error Correction Code ）、ＥＤＣ（Error Detection Code）、ユーザデータ等から構成される領域である。
【００４９】
各セクタは、図４に示すように、第０フレームから第２５フレームの２６個のフレームから構成され、各フレームごとに付与されている同期コード（フレーム同期信号）が、フレーム番号を特定するための特定コードと、各フレーム共通の共通コードとから構成されている。
【００５０】
上記ＤＶＤデータ処理ユニット６内には、図１に示すように、ＲＦアンプ１３からの再生信号により光ディスク１に記録されているデータを再生するデータ再生回路３０が設けられている。
【００５１】
このデータ再生回路３０は、図５に示すように、２値化回路３１、３２、切換回路３３、ＰＬＬ回路３４、シフトレジスタ３５、復調回路３６、同期コード検知回路３７、位相差変動量検知回路３８、切換信号生成回路３９により構成されている。
【００５２】
２値化回路３１は、ＲＦアンプ１３からの加算信号の波形を図示しない波形等化回路により波形等化された再生ＲＦ信号を２値化し８−１６信号を得るものであり、ＤＳＶ（Ｄｉｇｉｔａｌ  Ｓｕｍ  Ｖａｌｕｅ）が０、すなわち積分した期間で２値化信号のハイレベルとローレベルの時間が等しくなるように２値化のスライスレベルを変化させ、入力信号の変動に追従させて２値化するものである。
【００５３】
この２値化回路３１は、切換信号生成回路３９からのリセット信号（切換信号）によりリセットされることにより（リセット機能）、スライスレベル（２値化レベル）が初期値に設定され、このスライスレベルが発散しないようにするものである。切換信号生成回路３９からのリセット信号は、ＰＬＬ回路３４の位相差変動量が所定値を超えた異常の検知時でかつ次の同期用コードが検知されるタイミングで供給されるものであり、このタイミングでリセット機能が働くようになっている。
【００５４】
２値化回路３２は、２値化回路３１に並列に設けられ、ＲＦアンプ１３からの加算信号の波形を図示しない波形等化回路により波形等化された再生ＲＦ信号をＰＬＬの位相差に基づいて２値化するものであり、ＰＬＬループがほぼ正しく動作している状態で、ＰＬＬループより十分遅いデータ信号の変動に対してチャージ信号とディスチャージ信号のアンバランスを２値化のレベルにフィードバックすることにより、正しい２値化データを生成するものである。実際には、２値化回路３１による２値化信号を切る直前と同じスライスレベルで２値化を初め、この値（スライスレベル）に対して位相差変動量をフィードバックして（加算して）いくようになっている。
【００５５】
これにより、ＰＬＬで追いかけきれない広範囲でかつ周波数の低いゆらぎに追従させるものである。
【００５６】
上記２値化回路３２は、ＰＬＬ回路３４の位相差変動量が２値化のスライスレベルにフィードバックされるものである。この方式では、安定点を幾つか持つため、常には使えないが、あらかじめほぼ安定点となっている、ＤＳＶによる２値化でＰＬＬ回路３４によるＰＬＬがほぼ正常に動いている時に有効となるものである。
【００５７】
上記２値化回路３２は、２値化回路３１をリセット機能によりリセットしても再生ができなかった時のリトライを行う際に、用いられるものであり、位相差の量にかかわらず、次のセクタの初めの同期用コードが検知されるタイミング、つまりデータの初めのタイミングで２値化が行われるようになっている。
【００５８】
上記２値化回路３１からの２値化出力と上記２値化回路３２からの２値化出力は、切換回路３３を介してＰＬＬ回路３４へ供給される。
【００５９】
上記切換回路３３は、切換信号生成回路３９からの切換信号により、上記２値化回路３１からの２値化出力をＰＬＬ回路３４へ出力するか、あるいは２値化回路３２からの２値化出力をＰＬＬ回路３４へ出力するかを切り換えるものである。
【００６０】
上記ＰＬＬ回路３４は、上記２値化回路３１あるいは２値化回路３２からの２値化出力に同期したＰＬＬクロックとしてのチャネルクロックとチャネルデータとを生成するものである。ＰＬＬ回路３４から出力されるチャネルクロックはシフトレジスタ３５、復調回路３６、および同期コード検知回路３７に供給され、チャネルデータはシフトレジスタ３５に供給され、後述するローパスフィルタからの位相差検知信号は位相差変動量検知回路３８に供給される。
【００６１】
上記シフトレジスタ３５は、供給されるチャネルデータを１６ビットのパラレルデータに変換して出力する。このシフトレジスタ３５からの１６ビットのチャネルデータは、復調回路３６、および同期コード検知回路３７に供給される。
【００６２】
上記復調回路３６は、図示しない語境界カウンタからの語境界信号が供給された際のシフトレジスタ３５からの１６ビットのアドレスデータに対応したアドレスに記憶されているデータをＲＯＭ出力データとして出力する復調ＲＯＭ（図示しない）と、この復調ＲＯＭからのＲＯＭ出力データとしての復調データをＰＬＬ回路３４からのチャネルクロックを分周して作成したデータクロックに応じて、シリアルに変換して出力するパラレル−シリアル変換部（図示しない）などから構成されている。
【００６３】
このＲＯＭ出力データは、上記アドレスデータに対応したあらかじめ定められているたとえば（８、１６）符号変換規則に基づいて、つまり１６ビットのチャネルビットを８ビットのデータに復調されるデータである。
【００６４】
同期コード検知回路３７は、バイトカウンタと比較器により構成され、ＣＰＵ２５からのヘッダ検知信号を基準にバイト数をカウントし、このカウント値に応じてデータ領域に対応している間、ＰＬＬ回路３４からのチャネルクロックが供給されるごとに、シフトレジスタ３５からの１６ビットのチャネルデータと１６ビットの同期コードパターン（共通コードのパターン）とが一致するか否かを比較し、一致した際に、同期コード検知信号をＣＰＵ２５へ出力するものである。
【００６５】
位相差変動量検知回路３８は、ＰＬＬ回路３４内のローパスフィルタ（後述する）からの位相差検知信号に基づいて、位相差検知信号の幅が所定値以上となった際に、位相差異常検知信号を切換信号生成回路３９へ出力するものである。
【００６６】
切換信号生成回路３９は、ＣＰＵ２４からの制御信号に基づいて、２値化回路３１にリセット信号としての切換信号を出力したり、切換スイッチ３３に切換信号を出力するものである。
【００６７】
たとえば、２値化回路３１へのリセット信号は、ＰＬＬ回路３４の位相差変動量が所定値を超えた異常の検知時で、かつ次の同期用コードが検知されるタイミングで出力されるものであり、つまり位相差変動量検知回路３８から位相差異常検知信号が供給され、ＣＰＵ２４からの同期コード検知タイミング信号に対応する制御信号が供給されるタイミングで出力されるものである。このリセット信号が出力される時間は、固定時間となっている。
【００６８】
また、切換スイッチ３３への切換信号は、２値化回路３１をリセット機能によりリセットしても再生ができなかった時のリトライを行う際に、ＣＰＵ２４からの次のセクタの初めの同期用コードが検知されるタイミング信号に対応する制御信号、つまりデータの初めのタイミング信号に対応する制御信号が供給されるタイミングで出力されるものである。
【００６９】
上記２値化回路３１は、ＲＦアンプ１３からの再生信号に対して、２値化の初期レベルに比較器からローパスフィルタを介してフィードバックされる信号を加算した値をスライスレベルとして２値化を行い、ローパスフィルタと加算部との間にリセット用のスイッチが設けられた構成となっている。
【００７０】
実際には、図１に示すように、コンパレータ４１、チャージポンプ４２、切換スイッチ４３、４４、インバータ４５、コンデンサ４６、バッファ４７により構成されている。
【００７１】
これにより、リセット信号がローレベルの際には、切換スイッチ４３がクローズで切換スイッチ４４がオープンとなっており、コンパレータ４１からの２値化信号がチャージポンプ４２および切換スイッチ４３を介してコンデンサ４６へ供給されることにより、２値化の初期レベルＶｒｅｆにコンパレータ４１からの２値化信号を加算した値をスライスレベルとしてバッファ４７を介してコンパレータ４１の反転入力端に供給される。
【００７２】
また、リセット信号がハイレベルの際（リセット時）には、切換スイッチ４３がオープンで切換スイッチ４４がクローズとなっており、２値化の初期レベルＶｒｅｆの値をスライスレベルとしてバッファ４７を介してコンパレータ４１の反転入力端に供給される。
【００７３】
上記２値化回路３２は、位相差異常検知信号が供給されていない際には、ＲＦアンプ１３からの再生信号に対して、２値化の初期レベルに比較器からローパスフィルタを介してフィードバックされる信号を加算した値をスライスレベルとして２値化を行い、位相差異常検知信号が供給されていない際には、ＲＦアンプ１３からの再生信号に対して、２値化の初期レベルに上記ＰＬＬ回路３４からの位相差検知信号をローパスフィルタを介して得られる信号を加算した値をスライスレベルとして２値化を行なうものである。
【００７４】
実際には、図１に示すように、コンパレータ５１、切換スイッチ５２、チャージポンプ５３、コンデンサ５４、バッファ４６により構成されている。
【００７５】
これにより、位相差異常検知信号が供給されていない際には、切換スイッチ５２がＬ側に切換っており、コンパレータ５１からの２値化信号が切換スイッチ５２およびチャージポンプ５３を介してコンデンサ５４へ供給されることにより、２値化の初期レベルＶｒｅｆにコンパレータ５１からの２値化信号を加算した値をスライスレベルとしてバッファ５５を介してコンパレータ５１の反転入力端に供給される。
【００７６】
また、位相差異常検知信号が供給されている際には、切換スイッチ５２がＨ側に切換っており、上記ＰＬＬ回路３４のローパスフィルタ６３からの位相差検知信号が切換スイッチ５２およびチャージポンプ５３を介してコンデンサ５４へ供給されることにより、２値化の初期レベルＶｒｅｆにローパスフィルタ６３からの位相差検知信号を加算した値をスライスレベルとしてバッファ５５を介してコンパレータ５１の反転入力端に供給される。
【００７７】
上記チャージポンプ４２、５３は、図６に示すように、入力信号がハイレベルの際にオンするスイッチと、入力信号がローレベルの際にオンするスイッチと、２つの電流源と、コンデンサにより構成されている。
【００７８】
上記ＰＬＬ回路３４は、エッジ検知回路６１、位相比較器６２、ローパスフィルタ６３、および電圧制御発振器（ＶＯＣ）６４により構成されている。
【００７９】
上記エッジ検知回路６１は、上記２値化回路３１あるいは３２からの信号波形のエッジを検知する回路であり、そのエッジ検知信号は位相比較器６２へ出力され、またチャネルデータとしてシフトレジスタ３５に出力される。
【００８０】
上記位相比較器６２は、ロックイン型の位相比較器であり、上記エッジ検知回路６１からのエッジ検知信号と電圧制御発振器６４からのクロック信号との位相を比較し、その比較した位相差に比例したチャージ信号とデスチャージ信号とをパルス幅を持つ信号を出力する。この位相比較器６２からのクロック信号に同期ローパスフィルタ６３に出力される。
【００８１】
上記ローパスフィルタ６３は、上記位相比較器６２からのデスチャージ信号からチャージ信号が減算され、この減算結果を積分した信号が電圧制御発振器（ＶＯＣ）６４に出力され、また積分した信号が位相差検知信号として位相差変動検知回路３８、２値化回路３２に出力される。
【００８２】
電圧制御発振器（ＶＣＯ；ｖｏｌｔａｇｅ  ｃｏｎｔｒｏｌ  ｏｓｃｉｌｌａｔｏｒ）６４は、上記ローパスフィルタ６３から供給される信号の電圧値（アナログ値）に比例した周波数の２値のクロック信号（チャネルクロック）を出力するものである。
【００８３】
この電圧制御発振器６４のチャネルクロックは、位相比較器６２に出力されるとともに、シフトレジスタ３５、復調回路３６、同期コード検知回路３７に出力される。
【００８４】
次に、上記のような構成において、ＰＬＬ動作について、図７（ａ）から（ｆ）に示す信号波形を用いて説明する。
【００８５】
すなわち、図７（ａ）に示す再生信号を２値化回路３１により２値化してからエッジ検知回路６１によりエッジ検知を行うことにより、図７（ｂ）に示すチャネルデータに対する図７（ｃ）に示すチャネルデータ信号を生成する。この信号は再生信号の２値化信号が変化したらそこから１クロックだけハイレベルにすることでチャネルデータの変化を示す。
【００８６】
そして、位相比較器６２は、図７（ｄ）（ｅ）（ｆ）に示すように、上記チャネルデータ信号の立下がりから次のクロックタイミングまでの間をハイレベルにした信号をチャージ信号として生成し、上記チャネルデータ信号の立下がり後の次のチャネルクロックの立下がりタイミングから０．５Ｔ（固定）（Ｔはチャネルクロックの周期）のパルスをディスチャージ信号として生成するものである。
【００８７】
チャージ信号は、再生信号が持つジッタにより０．５Ｔ±０．５Ｔ（Ｔはチャネルクロックの周期）だけパルス幅が変化する。
【００８８】
ここで、位相比較器６２で生成されたチャージ信号とディスチャージ信号のパルス幅をローパスフィルタ６３で積分した値を比較し、チャージ信号が常に０．５Ｔとなるように、ＶＣＯ６４の出力を変化させている。
【００８９】
このような状態において、ＤＳＶ≠０のデータパターンに対する再生信号が供給された場合の処理について、図８（ａ）から（ｄ）に示す信号波形を用いて説明する。
【００９０】
すなわち、コンパレータ４１の反転入力端（−）に供給されるスライスレベルが、図８（ａ）に実線で示すように、徐々に上昇し、つまり破線で示す本来のスライスレベルから離れていく。すると、コンパレータ４１から出力される２値化信号が、図８（ｂ）に実線で示すように、破線で示す本来のタイミングから大きくずれてくる。これにより、ローパスフィルタ６３から出力される位相差検知信号は、図８（ｃ）に示すように、その幅が徐々に広くなる。この位相差検知信号の幅が規定値以上となった際に、位相差変動量検知回路３８から位相差異常検知信号が切換信号生成回路３９に出力される。
【００９１】
この後、切換信号生成回路３９は、図８（ｄ）に示すように、ＣＰＵ２４からの同期コード検知タイミング信号に対応する制御信号が供給されるタイミングでリセット信号（ハイレベル）を２値化回路３１へ出力する。このリセット信号により、切換スイッチ４３がオープンで、切換スイッチ４４がクローズとなり、２値化の初期レベルＶｒｅｆの値がスライスレベルとしてバッファ４７を介してコンパレータ４１の反転入力端に供給される。
【００９２】
これにより、コンパレータ４１の反転入力端（−）に供給されるスライスレベルが、上記リセットにより、図８（ａ）に実線で示すように、速やかに初期値に戻され、このスライスレベルが発散しないようにする。
【００９３】
その後、固定時間が経過した後、リセット信号がローレベルとなり、切換スイッチ４３がクローズで、切換スイッチ４４がオープンの通常の２値化信号がフィードバックされる状態に戻る。
【００９４】
また、上記したように、２値化回路３１をリセット機能によりリセットしても記録してあるデータを再生ができなかった時のリトライを行う際に、ＣＰＵ２４は、次のセクタの初めの同期用コードが検知されるタイミングで制御信号を切換信号生成回路３９へ出力する。すると、切換信号生成回路３９は切換信号により切換スイッチ３３を２値化回路３２側に切り換える。この際、切換スイッチ５２はＬ側となっている。
【００９５】
このような状態において、ＤＳＶ≠０のデータパターンに対する再生信号が供給された場合の処理について、図９（ａ）から（ｄ）に示す信号波形を用いて説明する。
【００９６】
すなわち、コンパレータ５１の反転入力端（−）に供給されるスライスレベルが、図９（ａ）に実線で示すように、徐々に上昇し、つまり破線で示す本来のスライスレベルから離れていく。すると、コンパレータ５１から出力される２値化信号が、図９（ｂ）に実線で示すように、破線で示す本来のタイミングから大きくずれてくる。これにより、ローパスフィルタ６３から出力される位相差検知信号は、図９（ｃ）に示すように、その幅が徐々に広くなる。この位相差検知信号の幅が規定値以上となった際に、図９（ｄ）に示すように、位相差変動量検知回路３８から位相差異常検知信号（ハイレベル）が出力され、切換スイッチ５２をＨ側に切換える。
【００９７】
この切換スイッチ５２がＨ側に切換ることにより、コンデンサ５４により保持されている切換スイッチ５２が切換る前までのスライスレベルに、チャージポンプ５３を介してローパスフィルタ６３から出力される位相差検知信号を加算した値がスライスレベルとしてバッファ５５を介してコンパレータ５１の反転入力端に供給される。
【００９８】
これにより、コンパレータ５１の反転入力端（−）に供給されるスライスレベルが、図９（ａ）に実線で示すように、スライスレベルを適正なものにする。
【００９９】
その後、位相差検知信号の幅が復帰の基準となる規定値以下となった際に、
あるいは固定時間が経過した後、切換信号生成回路３９から切換スイッチ３３への切換信号により、切換スイッチ３３が２値化回路３１側に切換ることにより、通常の２値化回路３１からの２値化信号を用いた処理状態に戻る。上記復帰の基準となる規定値は、位相差の異常を検知する際の規定値と必ずしも一致しなくて良い。たとえば、位相差の異常を検知する際の規定値ｔ１が復帰の基準となる規定値ｔ２の２倍となっている。（ｔ１＝２・ｔ２）
上記したように、ＰＬＬ回路３４におけるチャージ信号とディスチャージ信号との位相差の幅が規定値以上となった際に、２値化回路３１のフィードバック系をリセットして、２値化回路３１のスライスレベルを初期値にするか、あるいは上記位相差により２値化回路３２のスライスレベルを最適値に補正するようにしたものである。
【０１００】
これにより、再生されるデータのパターンがＤＳＶがゼロとならない特殊なパターンであっても、データを再生することが可能となる。
【０１０１】
なお、上記実施形態では、位相差検知信号の幅が復帰の基準となる規定値以下となった際に、あるいは固定時間が経過した後、位相差異常検知信号がローレベルとなる場合について説明したが、これに限らず、図１０（ｄ）に示すように、セクタの終了位置で切換信号生成回路３９から切換スイッチ３３への切換信号により、切換スイッチ３３が２値化回路３１側に切換ることにより、セクタの終わりまで２値化回路３２による２値化を続け、次のセクタからは通常の２値化回路３１からの２値化信号を用いた処理状態に戻るようにしても良い。この場合、図１０（ａ）から（ｃ）の処理は、図９（ａ）から（ｃ）と同じものとなっている。
【０１０２】
なお、上記実施形態では、２つの２値化回路３１、３２を用いている場合について説明したが、２値化回路３２を除いた２値化回路３１だけが設けられている場合であっても良い。この場合、上記２値化回路３２が除かれる他に、切換スイッチ３３が除かれ、２値化回路３１からの２値化信号がそのままＰＬＬ回路３４に出力される。また、２値化回路３２のコンパレータ５１へ再生信号が供給される信号線、コンパレータ５１から切換スイッチ３３への信号線、ローパスフィルタ６３から切換スイッチ５２への信号線、位相差変動量検知回路３８から切換スイッチ５２への信号線が除去される。この実施形態では、図８（ａ）から（ｄ）により説明した、２値化回路３１に対するリセット処理が行われる。
【０１０３】
この場合、ＰＬＬ回路３４におけるチャージ信号とディスチャージ信号との位相差の幅が規定値以上となった際に、２値化回路３１のフィードバック系をリセットして、２値化回路３１のスライスレベルを初期値にするようにしたものである。
【０１０４】
これにより、再生されるデータのパターンがＤＳＶがゼロとならない特殊なパターンであっても、データを再生することが可能となる。
【０１０５】
また、上記実施形態では、２つの２値化回路３１、３２を用いて、それぞれに対してスライスレベルを補正する場合について説明したが、これに限らず、
通常は２値化回路３１からの２値化信号を用い、位相差検知信号が検知された際に、２値化回路３２を用いるようにしても良い。この場合、図５において、
上記２値化回路３１から切換スイッチ４３、４４、インバータ４５が除去され、チャージポンプ４２とバッファ４７が直接接続され、切換信号生成回路３９から切換スイッチ４３、インバータ４５への信号線が除去される。
【０１０６】
この実施形態では、図９（ａ）から（ｄ）により説明したように、ＰＬＬ回路３４におけるチャージ信号とディスチャージ信号との位相差の幅が規定値以上となった際に、切換スイッチ３３を切り換えて２値化回路３２からの２値化信号がＰＬＬ回路３６へ供給されるようにして、さらに切換スイッチ５２を切り換えて、２値化回路３２のスライスレベルをＰＬＬ回路３４のローパスフィルタ６３からの位相差検知信号により補正するようにしたものである。
【０１０７】
これにより、再生されるデータのパターンがＤＳＶがゼロとならない特殊なパターンであっても、データを再生することが可能となる。
【０１０８】
【発明の効果】
以上詳述したように、この発明によれば、特殊なデータパターンの再生時に、データが正しく再生できる光ディスク装置を提供できる。
【図面の簡単な説明】
【図１】この発明の実施形態の光ディスク装置の概略構成を示す図。
【図２】光ディスクの概略構成を示す平面図。
【図３】セクタフォーマットを示す図。
【図４】各セクタの構成を説明するための図。
【図５】データ再生回路の概略構成を示すブロック図。
【図６】チャージポンプの構成を示すブロック図。
【図７】ＰＬＬ動作を説明するための信号波形図。
【図８】ＤＳＶ≠０のデータパターンに対する再生信号が供給された場合の処理を説明するための信号波形図。
【図９】ＤＳＶ≠０のデータパターンに対する再生信号が供給された場合の処理を説明するための信号波形図。
【図１０】ＤＳＶ≠０のデータパターンに対する再生信号が供給された場合の処理を説明するための信号波形図。
【符号の説明】
３０…データ再生回路
３１、３２…２値化回路
３３…切換スイッチ
３４…ＰＬＬ回路
３６…復調回路
３８…位相差変動量検知回路
３９…切換信号生成回路
【図１】
0003884180.tif 000002
【図２】
0003884180.tif 000003
【図３】
0003884180.tif 000004
【図４】
0003884180.tif 000005
【図５】
0003884180.tif 000006
【図６】
0003884180.tif 000007
【図７】
0003884180.tif 000008
【図８】
0003884180.tif 000009
【図９】
0003884180.tif 000010
【図１０】
0003884180.tif 000011